(57)【要約】【課題】  電波による機能部品の誤作動を防止でき、加工性や組み立て性に優れたコネクタを提供すること【解決手段】  第１嵌合部１５を有する第１コネクタ部１１と、第２嵌合部３５を有する第２コネクタ部３１とを含み、前記第１嵌合部１５と前記第２嵌合部３５とは前記第１嵌合部１５内に前記第２嵌合部３５を挿入する形態で嵌合するものであり、前記第１コネクタ部１１は前記第１コネクタ部１１の周囲を覆う金属製のシェル４１を有し、前記第１コネクタ部１１と前記第２コネクタ部３１とを嵌合した際、前記第１コネクタ部１１の前記シェル４１により前記第２コネクタ部が覆われる。【選択図】  図１
2010092771.tif 000002
【特許請求の範囲】
【請求項１】
第１嵌合部を有する第１コネクタ部と、第２嵌合部を有する第２コネクタ部とを有するコネクタにおいて、
コネクタは、一方のコネクタと他方のコネクタとからなり、
前記一方のコネクタの前記第１嵌合部と前記他方のコネクタの前記第２嵌合部とは、前記一方のコネクタの前記第１嵌合部内に前記他方のコネクタの前記第２嵌合部を挿入する形態で嵌合するものであり、
前記他方のコネクタの前記第１嵌合部と前記一方のコネクタの前記第２嵌合部とは、前記他方のコネクタの前記第１嵌合部内に前記一方のコネクタの前記第２嵌合部を挿入する形態で嵌合するものであり、
前記一方及び前記他方のコネクタのそれぞれの前記第１コネクタ部は、前記第１コネクタ部の周囲を覆う金属製のシェルを有し、
前記一方のコネクタと前記他方のコネクタとを嵌合した際、前記一方及び前記他方のコネクタのそれぞれの前記第１コネクタ部の前記シェルにより前記一方及び前記他方のコネクタのそれぞれの前記第２コネクタ部を覆うようにしたことを特徴とするコネクタ。
【請求項２】
前記第１コネクタ部はコンタクトを保持したハウジングを有し、該ハウジングは略四角形であり、前記シェルは少なくとも前記ハウジングの４側壁面のうちの３面を覆うことを特徴とする請求項１記載のコネクタ。
【請求項３】
前記シェルは、前記ハウジングに保持されるシェル保持部と、該シェル保持部から連設され基板に半田付けされる半田付け端子部とを有することを特徴とする請求項２記載のコネクタ。
【請求項４】
前記シェルは、前記第２コネクタ部の所定の前記コンタクトと接続するシェル接続部を有することを特徴とする請求項２又は３記載のコネクタ。
【請求項５】
請求項１〜４記載のコネクタにおいて、前記一方のコネクタと前記他方のコネクタとは、同一形状を呈することを特徴とする雌雄同体コネクタ。
【発明の詳細な説明】
【技術分野】
【０００１】
本発明は、相手コネクタと接続するコネクタに関し、特に、シェルを備えているコネクタ及び雌雄同体コネクタに関する。
【背景技術】
【０００２】
関連技術１としては、基板に固定されるコネクタと、このコネクタと嵌合するように相手基板に固定される相手コネクタとが、互いに同一である雌雄同体コネクタが知られている（例えば、特許文献１を参照）。
【０００３】
このような雌雄同体コネクタでは、コネクタを相手コネクタに接近させ、相手コネクタの相手インシュレータに形成されている突出部をコネクタの各対のソケットコンタクトの間に進入させる。続いて、相手コネクタをコネクタに更に接近させると、相手コネクタの各対のピンコンタクトの各接点部は、コネクタの各対のソケットコンタクトの各接点部に接触する。
【０００４】
また、他のコネクタにおいては、シェル構造を備えているプラグコネクタとレセプタクルコネクタからなる２ピースコネクタが知られている。
【０００５】
【特許文献１】特開２００１−３０７８４６号公報
【発明の開示】
【発明が解決しようとする課題】
【０００６】
特許文献１の雌雄同体コネクタはシェルを備えているものではない。したがって、雌雄同体コネクタは、コンタクトが電波にさらされ、コネクタ周囲の機能部品の誤作動を起こす原因となるという問題がある。
【０００７】
なお、シェル構造を備えているプラグコネクタとレセプタクルコネクタからなる２ピースコネクタが周知であるが、このシェル構造ではコネクタの外周４面を金属で囲んだものであるため加工性や組み立て性に劣るという問題がある。
【０００８】
それ故に、本発明の課題は、電波による機能部品の誤作動を防止でき、加工性や組み立て性に優れたコネクタを提供することにある。
【課題を解決するための手段】
【０００９】
本発明の実施の態様によれば、第１嵌合部を有する第１コネクタ部と、第２嵌合部を有する第２コネクタ部とを有するコネクタにおいて、コネクタは、一方のコネクタと他方のコネクタとからなり、前記一方のコネクタの前記第１嵌合部と前記他方のコネクタの前記第２嵌合部とは、前記一方のコネクタの前記第１嵌合部内に前記他方のコネクタの前記第２嵌合部を挿入する形態で嵌合するものであり、前記他方のコネクタの前記第１嵌合部と前記一方のコネクタの前記第２嵌合部とは、前記他方のコネクタの前記第１嵌合部内に前記一方のコネクタの前記第２嵌合部を挿入する形態で嵌合するものであり、前記一方及び前記他方のコネクタのそれぞれの前記第１コネクタ部は、前記第１コネクタ部の周囲を覆う金属製のシェルを有し、前記一方のコネクタと前記他方のコネクタとを嵌合した際、前記一方及び前記他方のコネクタのそれぞれの前記第１コネクタ部の前記シェルにより前記一方及び前記他方のコネクタのそれぞれの前記第２コネクタ部を覆うようにしたことを特徴とするコネクタが得られる。
【００１０】
前記第１コネクタ部はコンタクトを保持したハウジングを有し、該ハウジングは略四角形であり、前記シェルは少なくとも前記ハウジングの４側壁面のうちの３面を覆うようにしてもよい。
【００１１】
前記シェルは、前記ハウジングへ保持されるシェル保持部と、該シェル保持部から連設された基板に半田付けされる半田付け端子部とを有してもよい。
【００１２】
前記シェルは、前記第２コネクタ部の所定の前記コンタクトと接続するシェル接続部を有してもよい。
【００１３】
前記一方のコネクタと前記他方のコネクタとは、同一形状を呈する雌雄同体コネクタとしてもよい。
【発明の効果】
【００１４】
本発明の実施の態様に係るコネクタによれば、雌雄同体コネクタのコネクタとして用いることができ、コンタクトへの電波の侵入を防止することにより、機能部品の誤作動を防ぐことができるという利点がある。
【００１５】
また、本発明の実施の態様に係るコネクタは、シェルの加工性や組み立て性が容易となるコネクタを提供することにある。
【発明を実施するための最良の形態】
【００１６】
図１乃至図６は、本発明の一実施形態に係るコネクタを示している。図１乃至図６を参照して、本発明の一実施形態に係るコネクタについて説明する。
【００１７】
図示のコネクタ１は、第１コネクタ部１１と、図１に矢印によって示した第１の方向Ａにおいて第１コネクタ部１１と一体に連結されている第２コネクタ部３１とを有する。
【００１８】
第１コネクタ部１１は、第１ハウジング１３と、第１ハウジングに保持されている複数の第１コンタクト２１と、第１ハウジング１３の周囲を覆う金属製のシェル４１とを有する。
【００１９】
第１ハウジング１３は、樹脂材料を成形加工することによって略四角形の板部材に作られている。第１のハウジング１３は、板部材の上面である第１嵌合面１３ａと、板部材の下面である第１基面１３ｂと、板部材の側面である一対の第１横壁面１３ｃと、板部材の側面である一対の第１縦壁面１３ｄとを有する。
【００２０】
第１嵌合面１３ａと第１基面１３ｂとは、互いに平行になるように対向している。一対の第１横壁面１３ｃは互いに平行になるように対向している。一対の第１縦壁面１３ｄは、互いに平行になるように対向している。
【００２１】
一対の第１横壁面１３ｃは、それぞれ第１の方向Ａと直交する第２の方向Ｂの第１嵌合面１３ａ及び第１基面１３ｂの一対の端辺間を接続している。一対の第１縦壁面１３ｄは、それぞれ第１嵌合面１３ａ及び第１基面１３ｂの第１の方向Ａと直交する一対の端辺間を接続している。
【００２２】
さらに、第１ハウジング１３は、第１嵌合面１３ａから第１及び第２の方向Ａ、Ｂと直交する第３の方向Ｃで第１基面１３ｂへ向かって凹溝に形成されている一対の第１嵌合部１５を有する。
【００２３】
一対の第１嵌合部１５は、第２の方向Ｂにおいて第１ハウジング１３に配置されている。第１嵌合部１５は、第２の方向Ｂにおける第１嵌合部１５の幅に合わせて一対の第１縦壁面１３ｄの一部の面を切り欠いた凹形状部分を含む。
【００２４】
さらに、一対の第１嵌合部１５は、第２の方向Ｂにおいて第１ハウジング１３の第１中間壁部１６によって仕切られている。第１中間壁部１６は、第１縦壁面１３ｄの一部の面を含む。
【００２５】
また、第１ハウジング１１は、複数の第１コンタクト収容部１７を有する。第１コンタクト収容部１７は、凹溝形状の第１コンタクト溝部１７ａと、凹溝形状の第１コンタクト嵌合溝部１７ｂと、凹溝形状の第１コンタクト中間溝部１７ｃと、逃げ孔１７ｄと、凹溝形状の第１コンタクト横溝部１７ｅと、第１コンタクト保持孔１７ｆとを有する。
【００２６】
第１コンタクト溝部１７ａは、第２の方向Ｂで第１嵌合部１５の両側に位置している一対の第１嵌合面１３ａから第３の方向Ｃで第１基面１３ｂ側へ形成されている凹溝である。第１コンタクト嵌合溝部１７ｂは、第２の方向Ｂで一対の第１嵌合部１５の第１中間壁部１６と対向している第１嵌合内壁面１７ｂ−１に形成されている凹溝である。
【００２７】
第１コンタクト中間溝部１７ｃは、第１コンタクト嵌合溝部１７ｂと対向いている第１中間壁部１６の第１中間壁面１６ａに形成されている凹溝である。逃げ孔１７ｄは、第１嵌合部１５内の第１ハウジング１３の底面１５ａ及び第１基面１３ｂ間を貫通しかつ第２の方向Ｂに長い孔である。
【００２８】
第１コンタクト横溝部１７ｅは、一対の第１横壁面１３ｃのそれぞれに形成されており、第１コンタクト溝部１７ａに続き第１基面１３ｂに至るまで形成されている凹溝である。第１コンタクト保持孔１７ｆは、第２の方向Ｂで第１嵌合部１５の両側に位置している一対の第１嵌合面１３ａから第１基面１３ｂに至るまで第３の方向Ｃで貫通している孔である。
【００２９】
第１のハウジング１３には、第１コンタクト溝部１７ａ、第１コンタクト嵌合溝部１７ｂ、第１コンタクト中間溝部１７ｃ、逃げ孔１７ｄ、第１コンタクト横溝部１７ｅ、第１コンタクト保持孔１７ｆは、第２の方向Ｂで連続して形成されている。また、第１ハウジング１３には、第１ハウジング１３の第１の方向Ａにおいて複数の第１コンタクト収容部１７が所定の間隔をもって並行に配置されている。
【００３０】
第１コンタクト２１は、図２に示したように、第１保持部２１ａと、第１基部２１ｂと、第１連結部２１ｃと、第１接触バネ部２１ｄと、第１接続部２１ｅとを有する。
【００３１】
第１保持部２１ａは、第３の方向Ｃに延びている。第１基部２１ｂは、第１保持部２１ａの第１嵌合面１３ａ側の一端から第２の方向Ｂに延びている。
【００３２】
第１連結部２１ｃは、第１基部２１ｂの一端から第３の方向Ｃに延びている。第１接触バネ部２１ｄは、第１連結部２１ｃの一端から第２の方向Ｂへ延びかつ第１連結部２１ｃと対向するように第３の方向Ｃへ延びている。第１接続部２１ｅは、第１基部２１ｂの他端から第３の方向Ｃに延びている。
【００３３】
第１保持部２１ａは、図２に示したように、第１コンタクト保持孔１７ｆに圧入されている。第１基部２１ｂは、第１コンタクト溝部１７ａに収容されている。第１連結部２１ｃは、第１コンタクト嵌合溝部１７ｂに収容されている。第１接触バネ部２１ｄは、逃げ孔１７ｄと第１中間壁面１６ａに形成されている第１コンタクト中間溝部１７ｃに収容されている。第１接続部２１ｅは、第１コンタクト横溝部１７ｅに収容されている。
【００３４】
第１コンタクト２１は、導電板をプレスにより打ち抜き加工することによって作られている。
【００３５】
第１保持部２１ａには、第３の方向Ｃの中間部分で第１保持部２１ａの板幅よりも突出している第１係止部２１ａ−１が形成されている。第１係止部２１ａ−１は、第１コンタクト保持孔１７ｆに第１保持部２１ａが圧入されることによって、第１ハウジング１３と係止し、第１コンタクト２１は第１ハウジング１３に保持される。
【００３６】
また、第１接触バネ部２１ｄの先端部は、第１嵌合部１５内へ突出する第１接点部２１ｄ-1を有する。なお、第１コンタクト収容部１７の第１の方向Ａにおける溝幅寸法は、第１コンタクト２１の板厚と同じ寸法もしくは第１コンタクト２１の板厚よりも少し大きい寸法に作られている。
【００３７】
さらに、図２において紙面の左側に示した第１コンタクト２１の第１保持部２１ａは、第３の方向Ｃにおける先端が第１基面１３ｂと同一、または第１基面１３ｂよりも少し突き出すように延びている。この第１保持部２１ａの先端は、後述するプリント回路基板の回路と半田により半田付け接続される。
【００３８】
さらに、図２において紙面の右側に示した第１コンタクト２１の第１接続部２１ｅは、第３の方向Ｃにおける先端が第１基面１３ｂと同一、または第１基面１３ｂよりも少し突き出すように延びている。この第１接続部２１ｅ先端は、後述するプリント回路基板の回路と半田により半田付け接続される。
【００３９】
このように、図２において紙面の左側又は右側に示した第１コンタクト２１の第１保持部２１ａの先端又は第１接続部２１ｅの先端のいずれかが、第１基面１３ｂと同一もしくは第１基面１３ｂよりも少し突き出す形状とする。
【００４０】
第１コンタクト２１は、第１保持部２１ａの先端又は第１接続部２１ｅの先端までの長さが異なるものを、第２の方向Ｂで第１コンタクト収容部１７に一対が対向するように収容される。又は、第１コンタクト２１は、第１コンタクト収容部１７に第１の方向Ａにおいて第１保持部２１ａの先端又は第１接続部２１ｅの先端までの長さが異なるものを交互に対向させて第１コンタクト収容部１７に収容するようにしてもよい。
【００４１】
さらにまた、第１コネクタ部１は、第１ハウジング１３を覆う金属製のシェル４１を有する。シェル４１は、導電性の金属板をプレスにより打ち抜き加工した後に、曲げ加工を施すことによって作ることができる。なお、図７に示したシェル４１は、図１に示した第１ハウジング１３に保持される。
【００４２】
シェル４１は、図７にも示すように、一対のシェル横板部４１ａと、一対のシェル横板部４１ａの両端と接続しているシェル縦板部４１ｂと、他方のシェル横板部４１ａの両端から他方のシェル横板部４１ａに対して直角に曲げられている一対のシェル曲げ部４１ｃと、シェル曲げ部４１ｃから延びている一対のシェル連結板部４１ｄと、シェル曲げ部４１ｃの延在端に連結されている一対のシェル保持部４３ａとを有する。
【００４３】
一対のシェル横板部４１ａは、第１の方向Ａに長くかつ一対の第１横壁面１３ｃと対向している。シェル縦板部４１ｂの両端は、第２コネクタ部３１と連結されている側とは反対側で第１ハウジング１３の一つの第１縦壁面１３ｄと対向するように一対のシェル横板部４１ａの端部と接続している。
【００４４】
一対のシェル曲げ部４１ｃは、第２ハウジング３３と対向する側で他方のシェル横板部４１ａの一端から他方の第１縦壁面１３ｄに対向するように曲げられている。一対のシェル連結板部４１ｄは、シェル曲げ部４１ｃから一方側のシェル縦板部４１ｂと平行な方向となるように延びて第１縦壁面１３ｄと対向している。
【００４５】
図７によって明らかなように、シェル連結板部４１ｄ及びシェル保持部４３ａは、第１コンタクトの第１保持部２１ａ及び第１基部２１ｂと同じ形状となっている。
【００４６】
したがって、シェル連結板部４１ｄ及びシェル保持部４３ａは、第１ハウジングの第１コンタクト収容部１７に収容し保持することができる。
【００４７】
一対のシェル保持部４３ａのそれぞれは、第１縦壁面１３ｄに対向するようにシェル曲げ部４１ｃの延在端に連結されており、第２コネクタ部３１側に最も近い第１ハウジング１３の第１コンタクト保持孔１７ｆに圧入保持されている。
【００４８】
したがって、シェル４１は、一対のシェル横板部４１ａ、一方側のシェル縦板部４１ｂによって、少なくとも第１ハウジング１３の３面を覆うように第１ハウジング１３に配設されて第１ハウジング１３に保持されている。
【００４９】
なお、シェル保持部４３ａには、シェル係止部４３ｂが形成されている。シェル係止部４３ｂは、シェル曲げ部４１ｃへ向かって突出している。シェル係止部４３ｂは、第２コネクタ部３１と対向する側で第１縦壁面１３ｄに隣接している第１コンタクト収容部１７の第１コンタクト保持孔１７ｆの一つに圧入されて第１ハウジング１３に係止し保持される。
【００５０】
シェル保持部４３ａは、第３の方向Ｃへ延びており、シェル保持部４３ａの先端が後述するプリント回路基板の回路と半田により接続される半田付け端子部となる。
【００５１】
第１ハウジング１３と第２ハウジング３３とは、これらと同じ部材によって形成されている連結板３０によって一体に形成されている。
【００５２】
第２コネクタ部３１は、第２ハウジング３３と、第２ハウジング３３に保持されている複数の第２コンタクト５１とを有する。
【００５３】
第２ハウジング３３は、第１ハウジング１３と同じ材料によって略四角形の板部材に作られている。第２ハウジング３３は、板部材の上面となる第２嵌合面３３ａと、板部材の下面となる第２基面３３ｂと、互いに対向している一対の第２横壁面３３ｃと、一対の第２横壁面３３ｃと直交し互いに対向している一対の第２縦壁面３３ｄとを有する。
【００５４】
一対の第２横壁面３３ｃは、第２嵌合面３３ａ及び第２基面３３ｂの第１の方向Ａと直交する第２の方向Ｂと直交する両端辺を接続している板部材の側面である。一対の第２縦壁面３３ｄは、第１の方向Ａと直交する両端辺を接続している板部材の側面である。
【００５５】
さらに、第２ハウジング３３は、第２嵌合面３３ａから第１及び第２の方向Ａ、Ｂと直交する第３の方向Ｃで第２基面３３ｂへ向かって凹溝形状に形成されている一つの第２嵌合部３５を有する。
【００５６】
一対の第２縦壁面３３ｄは、第２の方向Ｂにおける第２嵌合部３５の幅に合わせて切り欠かれている。
【００５７】
さらにまた、第２ハウジング３３は、複数の第２コンタクト収容部３７を有する。第２コンタクト収容部３７は、凹溝形状の第２コンタクト溝部３７ａと、凹溝形状の一対の第２コンタクト嵌合溝部３７ｂと、凹溝形状の第２コンタクト横溝部３７ｅと、第２コンタクト保持孔３７ｆとを有する。
【００５８】
第２コンタクト溝部３７ａは、第２の方向Ｂで両側に位置している一対の第１嵌合面３３ａから第３の方向Ｃで第２基面３３ｂ側へ形成されている凹溝である。第２コンタクト嵌合溝部３７ｂは、第２嵌合部３５において第２の方向Ｂで対向している第２嵌合内壁面３７ｂ−１に形成されている凹溝である。
【００５９】
第２コンタクト横溝部３７ｅは、第２コンタクト溝部３７ａに続き第２基面３３ｂまで一対の第２横壁面３３ｃのそれぞれに形成されている凹溝である。第２コンタクト保持孔３７ｆは、第２の方向Ｂで両側に位置している一対の第２嵌合面１３ａから第２基面３３ｂに至るまで第３の方向Ｃで貫通している孔である。
【００６０】
第２のハウジング３３には、第２コンタクト溝部３７ａ、第２コンタクト嵌合溝部３７ｂ、第２コンタクト横溝部３７ｅ、第２コンタクト保持孔３７ｆが、第２の方向Ｂで連続して形成されている。第２ハウジング３３には、第２ハウジング３３の第１の方向Ａにおいて複数の第２コンタクト収容部３７が所定の間隔をもって並行して配置されている。
【００６１】
第２のコンタクト５１は、第２保持部５１ａと、第２基部５１ｂと、第２接触部５１ｃと、第２接続部５１ｅとを有する。
【００６２】
図３に示したように、第２保持部５１ａは、第３の方向Ｃに延びている。第２基部５１ｂは、第２嵌合面３３ａ側の第２保持部５１ａの一端から第２の方向Ｂに延びている。第２接触部５１ｃは、第２基部５１ｂの一端に接続されている。
【００６３】
第２基部５１ｂは、第２保持部５１ａの上端と接続されかつ第２の方向Ｂに延びている。第２接触部５１ｃは、第２基部５１ｂの一端と接続されておりかつ第３の方向Ｃに延びている。第２接続部５１ｅは、第２基部５１ｂの他端と接続されておりかつ第３の方向Ｃに延びている。
【００６４】
第２コンタクト５１は、導電板をプレスにより打ち抜き加工を施すことによって作ることができる。第２コンタクト溝部３７ａには、第２基部５１ｂが収容されている。第２コンタクト嵌合溝部３７ｂには、第２接触部５１ｃが収容されている。第２コンタクト横溝部３７ｅには、第２接続部５１ｅが収容されている。第２コンタクト保持孔３７ｆには、第２保持部５１ａが収容されている。
【００６５】
さらに、第２保持部５１ａには、第３の方向Ｃの中間部分に第２保持部５１ａの板幅より突出している第２係止部５１ａ−１が形成されている。第２係止部５１ａ−１は、第２コンタクト保持孔３７ｆに第２保持部５１ａが圧入されることによって、第２ハウジング３３と係止し、第２コンタクト５１は第２ハウジング３３に保持される。
【００６６】
なお、第２コンタクト収容部３７の第１の方向Ａにおける幅寸法は、第２コンタクト５１の板厚と同じ寸法もしくは第２コンタクト５１の板厚よりも少し大きい寸法に作られている。
【００６７】
ところで、図３において紙面の右側に示した第２コンタクト５１の第２保持部５１ａの先端は、第３の方向Ｃにおける先端が第２基面３３ｂと同一、または第２基面３３ｂよりも少し突き出すように延びている。この第２保持部５１ａ先端は、後述するプリント回路基板の回路と半田により半田付け接続される。
【００６８】
また、図３において紙面の左側に示した第２コンタクト５１の第２接続部５１ｅは、第３の方向Ｃにおける先端が第２基面３３ｂと同一、または第２基面３３ｂよりも少し突き出すように延びている。この第２接続部５１ｅ先端は、後述するプリント回路基板の回路と半田付け接続される。
【００６９】
このように、図３において紙面の左側又は右側に示した第２コンタクト５１の第２保持部５１ａ又は第２接続部５１ｅ先端のいずれかが、プリント回路基板の回路と半田付け接続できるように、第２基面３３ｂと同一又は第２基面３３ｂから少し突き出す形状となっている。
【００７０】
第２保持部５１ａの先端までの長さ又は第２接続部５１ｅの先端までの長さが異なっている第２コンタクト５１は、第２の方向Ｂで第２コンタクト収容部３７に一対を対向させて収容する。もしくは、第２保持部５１ａの先端までの長さ又は第２接続部５１ｅの先端までの長さが異なっている第２コンタクト５１は、第２保持部５１ａ又は第２接続部５１ｅの異なる長さをもつものを第１の方向Ａで交互に対向させて第２コンタクト収容部３７に収容するようにしてもよい。
【００７１】
上述したコネクタ１は、図８及び図９に示すように、互いに嵌合する雌雄同体コネクタとして用いることができる。
【００７２】
図８に示した上側に位置しているコネクタ１は、図１に示したコネクタ１を裏返した状態で示している。図８において下側に位置しているコネクタは、コネクタ１と同じ形状である相手コネクタ１０１を示している。相手コネクタ１０１は、図１に示したコネクタ１と同体のものを紙面において１８０度回転したものと同じである。
【００７３】
即ち、上側のコネクタ１の第１コネクタ部１１と、このコネクタ１と同体である下側の相手コネクタ１０１の第２コネクタ部３１とが嵌合する。即ち、コネクタ１の第１コネクタ部１１の２つの第１嵌合部１５には、相手コネクタ１０１の第２コネクタ部３１の第２嵌合部３５の両側に位置している第２ハウジング３３が嵌合する。同時に、第２コネクタ部３１の１つの第２嵌合部３５には、相手コネクタ１０１の第１コネクタ部１１の第１中間壁部１６が挿入することにより嵌合する。
【００７４】
また、図９に二点鎖線で示したように、コネクタ１はプリント回路基板としての基板７１に実装される。相手コネクタ１０１は、相手プリント回路基板としての相手基板８１に実装され、基板７１及び相手基板８１同士を弾性力のある第１接触バネ部２１ｄを有する第１コンタクト２１と第２コンタクト５１により相互に電気的に接続する。
【００７５】
基板７１の回路に、第１コンタクト２１の第１保持部２１ａの先端又は第１接続部２１ｅの先端のいずれかを半田によって半田付け接続する。また、基板７１の回路に、第２コンタクト５１の第２コンタクト保持部５１ａの先端又は第２接続部５１ｅの先端のいずれかを半田によって半田付け接続する。
【００７６】
このように、コネクタ１と相手コネクタ１０１を嵌合した際には、第１コンタクト２１は、図１０に示したように第１中間壁部１６側の第１コンタクト２１の第１接点部２１ｄ−１と相手コネクタ１０１の第２嵌合部３５側の第２コンタクト５１の第２接触部５１ｃとが接触する。
【００７７】
したがって、第１の方向Ａに配列されている複数の第１コンタクト２１と複数の第２コンタクト５１とが互いに接続される。
【００７８】
なお、コネクタ１及び相手コネクタ１０１のシールド効果を高めるためには、シェルを基板７１及び相手基板８１に電気的に接続することが望ましい。
【００７９】
即ち、第１ハウジング１３の３面を覆っているシェル４１により、互いに嵌合した際にシェル４１を配設した側でシェル４１のない側の第２コネクタ部３１を覆う。また、シェル保持部４３ａの先端は、コネクタ１を搭載した基板７１及び相手コネクタ１０１を搭載した相手基板８１のそれぞれのシールド回路と半田により接続されている。
【００８０】
シェル４１には基板７１及び相手基板８１とそれぞれ接続するシェル保持部４３ａがあり、シェル４１はコネクタ１が実装されている基板７１及び相手コネクタ１０１が実装されている相手基板８１のそれぞれに電気的に接続される。
【００８１】
したがって、コネクタ１と相手コネクタ１０１とが嵌合した後は、第１コネクタ部１１及び第２コネクタ部３１の全周がシェル４１で覆われるので、第１コネクタ部１１及び第２コネクタ部３１の内部への電波の侵入を防ぐことができる。
【００８２】
図１１は、図５に示したコネクタに用いるシェルの変形例を示している。なお、図１１に示したシェルは、図７に示したシェル４１に相手コンタクトと接続するシェル接続部が付加されている構成となっている点で異なっている。
【００８３】
よって、図７によって説明したシェル４１と同じ部分には、同じ符号を付して説明を省略する。なお、図１１に示したシェル１４１は、図１で示した第１ハウジング１３に保持される。
【００８４】
シェル１４１は、一対のシェル保持部４３ａのそれぞれに連結されているシェル付加接続部４５を有する。
【００８５】
シェル接続部４５は、シェル連結板部４１ｄから延長された延長端に接続されてシェル保持部４３ａと対向している第１シェル付加連結板部４５ｃと、第１シェル付加連結板部４５ｃから一方側のシェル縦板部４１ｂと平行に延びている第２シェル付加連結板部４５ｄと、第２シェル付加連結板部４５ｄの延長端から第１シェル付加連結板部４５ｃに対向するように延びている第３シェル付加連結板部４５ｅとを有する。
【００８６】
第３シェル付加連結板部４５ｅの先端部には、第１シェル付加連結板部４５ｃへ向かって突出しているシェル接続部４５ｆが形成されている。
【００８７】
シェル１４１は、シェル横板部４１ａおよびシェル縦板部４１ｂによって、第１ハウジング１３の３面を覆うように第１ハウジング１３に配設される。
【００８８】
シェル係止部４３ｂは、第２コネクタ部３１と対向する側で第１縦壁面１３ｄに隣接している第１コンタクト収容部１７の第１コンタクト保持孔１７ｆの一つに圧入されて第１ハウジング１３に係止し保持される。
【００８９】
図１１によって明らかなように、シェル接続部４５は、図２、図９及び図１０に示した第１コンタクト２１の第１接触バネ部２１ｄと第１接点部２１ｄ−１と同じ形状となっている。また、シェル連結板部４１ｄ、シェル保持部４３ａ及び第１シェル付加連結板部４５ｃは、第１コンタクトの第１基部２１ｂ、第１連結部２１ｃ及び第１保持部２１ａと同じ形状となっている。
【００９０】
したがって、シェル接続部４５を第１ハウジングの第１コンタクト収容部１７に収容することができる。
【００９１】
このシェル１４１は、嵌合時においてコネクタ１の基板７１と相手コネクタ１０１の相手基板８１との相互間を電気的に接続することができる。
【００９２】
コネクタ１のシェル接続部４５ｆは、第３の方向Ｃへ延びており、図９及び図１０に示した第２コンタクト５１と接続する端子部となる。また、相手コネクタ１０１のシェル接続部４５ｆは、図９及び図１０に示した第２コンタクト５１と接続する端子部となる。
【００９３】
よって、コネクタ１のシェル４１と相手コネクタ１０１のシェル４１とは、第２コンタクト５１と接続するシェル接続部４５ｆにより接続されるので、グランドと接続する第２コンタクト５１を介して基板７１と相手基板８１間を接続することができる。
【００９４】
このように、シェル１４１は、図１０に示したコネクタ１と相手コネクタ１０１とが嵌合して接続した際に、基板７１及び相手基板８１のシールド接続ができる。
【００９５】
こうして、コネクタ１の信号ラインである第１コンタクト２１は基板７１及び相手基板８１に電気的に通じたシェル１４１に覆われることになり、最大のシールド効果を享受できる。
【図面の簡単な説明】
【００９６】
【図１】本発明の一実施の形態に係るコネクタを示す斜視図である。
【図２】図１に示したコネクタII-II線断面図である。
【図３】図１に示したコネクタのIII-III線断面図である。
【図４】図１に示したコネクタの正面図である。
【図５】図４に示したコネクタの裏面図である。
【図６】図４に示したコネクタを右側から見た側面図である。
【図７】図１に示したシェルを示した斜視図である。
【図８】図１に示したコネクタと、コネクタと嵌合する相手コネクタとの嵌合前の状態を示す斜視図である。
【図９】図８示したコネクタ及び相手コネクタの嵌合前のIX-IX線断面図である。
【図１０】図９に示したコネクタ及び相手コネクタのそれぞれを基板及び相手基板に実装し嵌合した状態を示す断面図である。
【図１１】図１に示したコネクタに用いるシェルの変形例を示した斜視図である。
【符号の説明】
【００９７】
１，１０１    コネクタ（雌雄同体コネクタ）
１１    第１コネクタ部
１３    第１ハウジング
１３ａ    第１嵌合面
１３ｂ    第１基面
１３ｃ    第１横壁面
１３ｄ    第１縦壁面
１５    第１嵌合部
１６    第１中間壁部
１７    第１コンタクト収容部
１７ａ    第１コンタクト溝部
１７ｂ    第１コンタクト嵌合溝部
１７ｂ−１    第１嵌合内壁面
１７ｃ    第１コンタクト中間溝部
１７ｅ    第１コンタクト横溝部
１７ｆ    第１コンタクト保持孔
１７ｄ    逃げ孔
２１    第１コンタクト
２１ａ    第１保持部
２１ｂ    第１基部
２１ｃ    第１連結部
２１ｄ    第１接触バネ部
２１ｅ    第１接続部
３１    第２コネクタ部
３３    第２ハウジング
３３ａ    第２嵌合面
３３ｂ    第２基面
３３ｃ    第２横壁面
３３ｄ    第２縦壁面
３５    第２嵌合部
３７    第２コンタクト収容部
３７ａ    第２コンタクト溝部
３７ｂ    第２コンタクト嵌合溝部
３７ｂ−１    第２嵌合内壁面
３７ｅ    第２コンタクト横溝部
３７ｆ    第２コンタクト保持孔
４１，１４１    シェル
４１ａ    シェル横板部
４１ｂ    シェル縦板部
４１ｃ    シェル曲げ部
４１ｄ    シェル連結板部
４３ａ    シェル保持部
４３ｂ    シェル係止部
４５    シェル接続部
４５ｃ    第１シェル付加連結板部
４５ｄ    第２シェル付加連結板部
４５ｅ    第３シェル付加連結板部
４５ｆ    シェル接続部
５１    第２コンタクト
５１ａ    第２保持部
５１ａ−１    第２係止部
５１ｂ    第２基部
５１ｃ    第２接触部
５１ｅ    第２接続部
７１    基板
８１    相手基板
１０１    相手コネクタ
Ａ    第１の方向
Ｂ    第２の方向
Ｃ    第３の方向
【図１】
2010092771.tif 000003
【図２】
2010092771.tif 000004
【図３】
2010092771.tif 000005
【図４】
2010092771.tif 000006
【図５】
2010092771.tif 000007
【図６】
2010092771.tif 000008
【図７】
2010092771.tif 000009
【図８】
2010092771.tif 000010
【図９】
2010092771.tif 000011
【図１０】
2010092771.tif 000012
【図１１】
2010092771.tif 000013